(57)【特許請求の範囲】
【請求項１】
枠部材と、前記枠部材に取り付けられた遊技盤と、前記枠部材の裏面側に開閉自在に取り付けられるとともに前記遊技盤の裏面側を覆う閉止位置に保持されて用いられる裏セット盤とを備える弾球遊技機において、
前記枠部材もしくは前記裏セット盤の上部に設けられて賞球を貯留するタンク部材と、
前記タンク部材の下部に設けられて前記タンク部材から供給される賞球を整列させて流下させる整列樋部材と、
前記整列樋部材の下方に設けられて前記整列樋部材の出口部分から送り出された賞球を賞球待機通路に待機保持させる待機通路部材と、
前記整列樋部材の出口部分と前記賞球待機通路との間に設けられ、前記整列樋部材の出口部分から送り出された賞球を前記賞球待機通路もしくは前記賞球待機通路から分岐して前記弾球遊技機の外部と繋がる球抜き通路へ選択的に切り替えて導くように構成されるとともに、前記整列樋部材の出口部分から送り出された賞球を前記球抜き通路へ切り替えて導くことで前記タンク部材および前記整列樋部材に位置する賞球を前記弾球遊技機の外部へ球抜きすることが可能な上部球抜き機構と、
前記待機通路部材の下方に設けられ、内部に回転可能に配設されたインペラの回転に伴って前記賞球待機通路に待機保持された賞球を第一出口もしくは前記球抜き通路と繋がる第二出口から払い出し可能に構成された賞球払出装置と、
前記枠部材に取り付けられて賞球を貯留する球皿と、
前記賞球払出装置の前記第一出口から払い出された賞球を前記球皿に導く賞球払出通路と、
前記上部球抜き機構により前記球抜きが行われているか否かを検出する球抜き検出スイッチと、
前記賞球払出装置が、前記遊技盤における所定の入賞状態に基づいて前記インペラを正回転させることで前記賞球待機通路に待機保持された賞球を前記第一出口から前記賞球払出通路へ払い出し、前記上部球抜き機構により前記球抜きが行われている状態を前記球抜き検出スイッチが検出すると前記インペラを逆回転させることで前記賞球待機通路に待機保持された賞球を前記第二出口から前記球抜き通路へ払い出すように制御する球払出制御手段とを備えて構成されていることを特徴とする弾球遊技機の球抜き装置。
【請求項２】
前記上部球抜き機構は、前記整列樋部材の出口部分から送り出された賞球を前記賞球待機通路へ導く待機揺動角度位置と、前記整列樋部材の出口部分から送り出された賞球を前記球抜き通路へ導く球抜き揺動角度位置とに揺動可能な流路切り替え部材を有し、前記流路切り替え部材を前記球抜き揺動角度位置に揺動させることで前記球抜きが行われるように構成されており、
前記球抜き検出スイッチは、前記流路切り替え部材が前記球抜き揺動角度位置に位置するか否かを検出し、
前記球払出制御手段は、前記流路切り替え部材が前記球抜き揺動角度位置に位置する状態を前記球抜き検出スイッチが検出すると、前記賞球払出装置が前記賞球待機通路に待機保持された賞球を前記第二出口から前記球抜き通路へ払い出すように制御することを特徴とする請求項１に記載の弾球遊技機の球抜き装置。
【請求項３】
前記整列樋部材の出口部分と前記賞球待機通路との間に形成される検出通路に賞球があるか否かを検出する球切れ検出スイッチを備え、
前記球払出制御手段は、前記上部球抜き機構により前記球抜きが行われている状態を前記球抜き検出スイッチが検出し、かつ、前記検出通路に賞球が無い状態を前記球切れ検出スイッチが検出すると、前記賞球払出装置が前記賞球待機通路に待機保持された賞球を前記第二出口から前記球抜き通路へ払い出すように制御することを特徴とする請求項１もしくは請求項２に記載の弾球遊技機の球抜き装置。
【請求項４】
前記球払出制御手段は、前記上部球抜き機構により前記球抜きが行われている状態を前記球抜き検出スイッチが検出してから、前記上部球抜き機構による前記球抜きが完了するのに充分な時間が経過すると、前記賞球払出装置が前記賞球待機通路に待機保持された賞球を前記第二出口から前記球抜き通路へ払い出すように制御することを特徴とする請求項１もしくは請求項２に記載の弾球遊技機の球抜き装置。
【発明の詳細な説明】
【０００１】
【発明の属する技術分野】
本発明は、パチンコ機に代表される弾球遊技機に関し、さらに詳しくは、遊技盤の裏側に常には閉鎖状態に保持される裏セット盤に設けられ、賞球を貯留するタンク部材に貯留された賞球やタンク部材と賞球払出装置との間の球通路等に残留する賞球を強制的に排出させる球抜き装置に関する。
【０００２】
【従来の技術】
パチンコ機に代表される弾球遊技機は、遊技盤を着脱自在に装着し打球発射装置等が取り付けられた開閉搭載枠たる前枠に、賞球払出装置や各種制御基板が装備された裏セット盤が横開き開閉自在に取り付けられて構成される。裏セット盤の上部には遊技施設側から供給される遊技球（「予備賞球」という）を貯留するタンク部材が取り付けられ、タンク部材の下部にはタンク部材から供給される予備賞球を傾斜下方に向けて整列させ流下させる整列樋部材が取り付けられている。整列樋部材の傾斜端部すなわち予備賞球通路の終端部は略直角に折り曲げられて下方に開く偏向出口が形成され、この偏向出口の下部に予備賞球の欠乏を検出する球切れ検出スイッチ、および所定数の予備賞球を待機させる賞球待機通路を介して賞球払出装置が取り付けられている。賞球払出装置下部の裏セット盤には払い出された遊技球（「賞球」という）を前枠前方の上球皿または下球皿に導く賞球経路が形成されており、遊技盤における所定の入賞条件に基づいて賞球払出装置から払い出される賞球が上球皿、または上球皿が充満しているときには下球皿に払い出されるように構成される。
【０００３】
このようなパチンコ機において、遊技に使用する遊技球の清掃作業や裏セット盤各部の遊技球の通路（球通路）の清掃作業、球切れ検出スイッチや賞球装置の保守点検作業および交換作業、パチンコ機の交換作業等を行うときには、パチンコ機に残留する予備賞球を排出させる球抜き作業が必要になる。このため、パチンコ機には機内に残留する予備賞球を遊技施設側の回収バケットに強制的に排出させる球抜き装置が設けられている。
【０００４】
このうち、タンク部材に貯留する予備賞球を排出させる球抜き装置は、一般に予備賞球通路の終端である偏向出口領域に設けられていた。すなわち、偏向出口では予備賞球の流れ方向が傾斜する整列樋部材の底面に沿った方向から、出口開口が開く下方に向けて偏向されており、このように予備賞球の流れ方向を下方に偏向させる予備賞球通路の外周壁面を揺動開閉可能に構成するとともに、この壁面の背後に賞球待機通路と並んで下方に延びる専用の球抜き通路を設けて、流れ出る予備賞球を裏セット盤の外部（すなわちパチンコ機の外部）に排出させるように構成されている。
【０００５】
ところが、上記のような球抜き装置による球抜き操作のみでは、この装置により排出される予備賞球が偏向出口の近傍部よりも上流側（タンク部材側）に位置する球に限られるため、偏向出口よりも下流に位置する予備賞球がパチンコ機の機内に残留したままの状態になってしまう。このため、パチンコ機の中には、パチンコ機の背面側、例えば裏セット盤の背面に専用の球抜きスイッチを設け、この球抜きスイッチが操作されたときに賞球払出装置を作動させて予備賞球を上球皿または下球皿に排出させる強制排出装置を備えたものがある。
【０００６】
【発明が解決しようとする課題】
しかしながら、上記のような強制排出装置では、賞球カセットにより払い出された賞球が上球皿に排出され、上球皿に連通する球送り装置に賞球（遊技球）が流入してしまう。そのため、例えば製造時のように弾球遊技機の動作確認をした後、弾球遊技機内に残る遊技球を完全に排出する必要がある場合には、作業者が上球皿を開放して球送り装置内の賞球（遊技球）を排除しなければならず、作業が煩雑となっていた。
【０００７】
本発明はこのような問題に鑑みてなされたものであり、弾球遊技機内に残る予備賞球を全て球抜き通路を介して弾球遊技機の外部に排出させることができる弾球遊技機の球抜き装置を提供することを目的とする。
【０００８】
【課題を解決するための手段】
このような目的達成のため、本発明に係る弾球遊技機の球抜き装置は、枠部材（例えば、実施形態における前枠２）と、枠部材に取り付けられた遊技盤と、枠部材の裏面側に開閉自在に取り付けられるとともに遊技盤の裏面側を覆う閉止位置に保持されて用いられる裏セット盤とを備える弾球遊技機において、前記枠部材もしくは裏セット盤の上部に設けられて賞球（予備賞球）を貯留するタンク部材と、タンク部材の下部に設けられてタンク部材から供給される賞球（予備賞球）を整列させて流下させる整列樋部材と、整列樋部材の下方に設けられて整列樋部材の出口部分から送り出された賞球を賞球待機通路に待機保持させる待機通路部材と、整列樋部材の出口部分と待機通路部材との間に設けられ、整列樋部材の出口部分から送り出された賞球を賞球待機通路もしくは賞球待機通路から分岐して弾球遊技機の外部と繋がる球抜き通路へ選択的に切り替えて導くように構成されるとともに、整列樋部材の出口部分から送り出された賞球を球抜き通路へ切り替えて導くことでタンク部材および整列樋部材に位置する賞球を弾球遊技機の外部へ球抜きすることが可能な上部球抜き機構と、待機通路部材の下方に設けられ、内部に回転可能に配設されたインペラの回転に伴って賞球待機通路に待機保持された賞球を第一出口もしくは球抜き通路と繋がる第二出口（例えば、実施形態における左払出口５３ｃおよび右払出口５３ｄ）から払い出し可能に構成された賞球払出装置と、枠部材に取り付けられて賞球を貯留する球皿（例えば、実施形態における上球皿６および下球皿７）と、賞球払出装置の第一出口から払い出された賞球を球皿に導く賞球払出通路と、上部球抜き機構により球抜きが行われているか否かを検出する球抜き検出スイッチと、賞球払出装置が、遊技盤における所定の入賞状態に基づいてインペラを正回転させることで賞球待機通路に待機保持された賞球を第一出口から賞球払出通路へ払い出し、上部球抜き機構により球抜きが行われている状態を球抜き検出スイッチが検出するとインペラを逆回転させることで賞球待機通路に待機保持された賞球を第二出口から球抜き通路へ払い出すように制御する球払出制御手段（例えば、実施形態における払出制御装置２００）とを備えて構成される。
【０００９】
このような構成の弾球遊技機の球抜き装置によれば、操作手段の操作に基づいて、賞球払出装置が賞球を第二出口から球抜き通路へ払い出すように球払出制御手段が制御することにより、賞球払出装置から払い出された賞球が全て弾球遊技機の外部に導く球抜き通路へ導かれるため、弾球遊技機内に残る予備賞球を全て球抜き通路を介して弾球遊技機の外部に排出（球抜き）させることが可能となり、製造時等における予備賞球の球抜き操作の作業性を向上させることができる。
なお、上部球抜き機構は、整列樋部材の出口部分から送り出された賞球を賞球待機通路へ導く待機揺動角度位置と、整列樋部材の出口部分から送り出された賞球を球抜き通路へ導く球抜き揺動角度位置とに揺動可能な流路切り替え部材を有し、流路切り替え部材を球抜き揺動角度位置に揺動させることで球抜きが行われるように構成されており、球抜き検出スイッチは、流路切り替え部材が球抜き揺動角度位置に位置するか否かを検出し、球払出制御手段は、流路切り替え部材が球抜き揺動角度位置に位置する状態を球抜き検出スイッチが検出すると、賞球払出装置が賞球待機通路に待機保持された賞球を第二出口から球抜き通路へ払い出すように制御することが好ましい。
また、整列樋部材の出口部分と賞球待機通路との間に形成される検出通路に賞球があるか否かを検出する球切れ検出スイッチを備え、球払出制御手段は、上部球抜き機構により球抜きが行われている状態を球抜き検出スイッチが検出し、かつ、検出通路に賞球が無い状態を球切れ検出スイッチが検出すると、賞球払出装置が賞球待機通路に待機保持された賞球を第二出口から球抜き通路へ払い出すように制御することが好ましい。
また、球払出制御手段は、上部球抜き機構により球抜きが行われている状態を球抜き検出スイッチが検出してから、上部球抜き機構による球抜きが完了するのに充分な時間が経過すると、賞球払出装置が賞球待機通路に待機保持された賞球を第二出口から球抜き通路へ払い出すように制御するようにしてもよい。
【００１０】
【発明の実施の形態】
以下、本発明の好ましい実施形態について添付図面を参照しながら説明する。実施例では本発明に係る弾球遊技機の代表例としてパチンコ機を採り上げ、このパチンコ機の裏セット盤に本発明を適用した場合を主として説明する。まず、本発明が適用されるパチンコ機ＰＭについてその概要構成を図１および図２を参照して要約説明する。ここで、図１はパチンコ機ＰＭを正面から見た正面図、図２はパチンコ機ＰＭを裏面から見た背面図である。
【００１１】
パチンコ機ＰＭは、外郭方形枠サイズに構成されて縦向きの固定保持枠を成す外枠１の開口前面に、これに合わせた方形枠サイズに構成されて開閉搭載用の前枠２が互いの正面左側上下に配設されたヒンジ部材３ａ，３ｂにより横開き開閉および着脱可能に取り付けられ、正面右側に設けられた施錠装置４を利用して外枠１と係合された閉鎖状態で遊技に供される。
【００１２】
前枠２の正面側には、前枠２の前側面域に合わせた方形状のガラス扉５、および遊技球を貯留して整列させる上球皿６が、ともに横開き開閉および着脱が可能に組付けられており、常には施錠装置４および図示しないロック機構を利用して前枠２の前面を覆う閉止状態で保持される。前枠２の下部には下球皿７および遊技球の発射操作を行う操作ハンドル８が取り付けられている。
【００１３】
ガラス扉５の背後に位置する前枠２の裏面上部には、図示省略する方形枠状の収容枠が前枠２と一体に成形されており、この収容枠に所定のゲージ設定で構成された遊技盤２０が複数の係合レバー１７，１７…により着脱交換可能にセット保持されその前面域をガラス扉５に臨ませている。
【００１４】
遊技盤２０は、表面にセルが貼り付けられた化粧板２１の前面側に、帯状の外レール２２ａおよび内レール２２ｂが円弧状に固設され、この内側に遊技領域ＰＡが区画される。遊技領域ＰＡには多数本の遊技釘とともに、複数の風車２３、一般入賞具２４や始動入賞具２５並びに大入賞口２６などの入賞具、周囲に飾り部を有した図柄表示装置２８などが設けられ、遊技領域ＰＡの下端には入賞具に入賞せずに落下した遊技球を排出させるアウト口２７が設けられている。入賞具に落入した遊技球（「セーフ球」という）は、各入賞具に設けられた入賞球検出センサ２４ａ，２５ａ，２６ａで検出され、化粧板２１を貫通するセーフ球通路孔を通って遊技盤２０の裏面側に排出される。また、アウト口２７に集められたアウト球は化粧板２１を貫通するアウト球通路孔を通って遊技盤２０の裏面側に排出される。
【００１５】
前枠２の裏面下部には打球発射装置９が取り付けられており、打球発射装置９と遊技盤２０との間には、打球発射装置９によって打ち出された遊技球を遊技盤２０の外レール２２ａに向けて案内する発射レールや、効果音を発生させるスピーカ等が取り付けられている。発射レールやスピーカ等は上球皿６の裏側に位置する前枠２の中間領域（「遊技補助盤」と称される）に取り付けられており、常には閉鎖状態に保持される上球皿６によりその表面側が覆われている。
【００１６】
また、前枠２の裏側には、裏セット盤ＢＳＰが上下のヒンジ１８，１８で横開き開閉および着脱が可能に装備され、常には閉鎖レバー１９，１９…を利用して遊技盤２０の裏面を覆うように閉鎖保持される。裏セット盤ＢＳＰは、全体として収容枠の背面外郭サイズよりも大きめの縦長方形形状を成し、中央に遊技盤２０から突出する画像制御基板（図示せず）を受容する窓口３１を有して一体成形された基枠体３０をベースとして構成される（図２および図３を参照）。
【００１７】
裏セット盤ＢＳＰには、窓口３１の上部に装備されて遊技球の貯留・供給処理を行う球貯留供給機構４０や、窓口３１の右側方に装備されて球貯留供給機構４０から導かれる遊技球（「予備賞球」という）の払い出し処理を行う賞球払出機構５０などの賞球機構が設けられるとともに、賞球払出機構５０の下方に位置して同機構５０から払い出された遊技球（「賞球」という）を上・下の球皿６，７に排出するための賞球払出経路６０、窓口３１の下方に位置して遊技盤２０の裏面側に排出されるアウト球およびセーフ球（これらをまとめて「遊技済み球」という）を集合させ、遊技施設側の回収バケットに排出させる下部球抜き通路などが形成されている。
【００１８】
また、裏セット盤ＢＳＰの裏面側には、このパチンコ機の作動を統括的に制御するメイン基板９１や、賞球の払出制御を行う球払出基板９２、効果照明や効果音の作動制御を行うランプ・音声制御基板９３、各制御基板や電子部品に所定の電力を供給する電源基板９４、複数のコネクタが取り付けられて制御信号や電力の中継等を行う中継基板９５、遊技機の作動状態を遊技施設側に出力するためのターミナル基板９６などの各種回路基板や、賞球カセット５３などの電子部品が取り付けられ、各機器が図示しないワイヤーハーネスで接続される。
【００１９】
パチンコ機ＰＭは、上球皿６およびガラス扉５が閉止施錠された状態（図１に示す状態）で遊技に供され、上球皿６に遊技球を貯留させて操作ハンドル８を回動操作することにより遊技が開始される。操作ハンドル８の操作レバーが回動操作されると、上球皿６に貯留した遊技球がこの球皿に装備された球送り装置によって１球ずつ発射レール上に送出され、打球発射装置９のハンマーに打ち出されて遊技盤２０の遊技領域ＰＡに導かれ、以降パチンコゲームが展開される。
【００２０】
次に、このように概要構成されるパチンコ機ＰＭにおける予備賞球および賞球の流れについて、図３および図４を参照して説明する。ここで、図３は賞球払出機構５０およびその周辺を示す背面図、そして図４は裏セット盤ＢＳＰにおいて賞球カセット５３が配設される部位およびその周辺を示す正面図（裏セット盤ＢＳＰをパチンコ機ＰＭの前面側から見た図）である。なお、以降では裏セット盤ＢＳＰを裏側から見た構成を主として説明するため、説明の便宜上、図２に示す背面図における左右方向を左方または右方と称し、紙面直交方向の向こう側（パチンコ機前面側）を前方、手前側（同裏面側）を後方と称して説明する。
【００２１】
球貯留供給機構４０は、図２に示すように、基枠体３０の上部に取り付けられて予備賞球を貯留するタンク部材４１と、このタンク部材４１の下部に位置して基枠体３０に取り付けられる整列樋部材４２とを主体として構成される。整列樋部材４２はタンク部材４１と賞球払出機構５０との間を結んで緩い勾配をもって配設され、タンク部材４１から供給される予備賞球を流下させる過程で前後二列に整列させ、下流端部の偏向出口４３から予備賞球を賞球払出機構５０に送り出す。
【００２２】
賞球払出機構５０は、基枠体３０に支持され、偏向出口４３から送り出された予備賞球を受けて所定数量の予備賞球を前後二列の賞球待機通路５２ａ，５２ｂに待機保持させる待機通路部材５２と、この待機通路部材５２下部の基枠体３０に取り付けられ、賞球待機通路に待機保持された予備賞球を所定の払出条件に基づいて払い出す賞球カセット５３、および基枠体３０に支持された待機通路部材５２をその取付面との間に挟持して上記二列の賞球待機通路を形成させる蓋部材５５（図２を参照）を主体として構成される。また、偏向出口４３と待機通路部材５２との間には、賞球として払い出すに充分な予備賞球が賞球待機通路５２ａ，５２ｂにあるか否かを検出するための球切れ検出スイッチ５１が着脱可能に取り付けられ、賞球カセット５３の払出口と賞球払出経路６０との間には、払い出された賞球を検出する賞球検出センサ５４が係脱可能に設けられている。
【００２３】
賞球カセット５３は、詳細図示しないが、前後二分割のカセットケース５３１に納められて全体として方形箱状のモジュールをなし、その上部中央に賞球待機通路５２ａ，５２ｂの下端部と繋がって予備賞球を受容する受容口５３ａ，５３ｂ、下部の左右に賞球を払い出す左払出口５３ｃおよび右払出口５３ｄが設けられている。ケース内部には前後二段のインペラ５３４とこのインペラを回転させるステッピングモータ、および受容口５３ａ，５３ｂから受け入れた予備賞球を左右の払出口５３ｃ，５３ｄに導くためのテーパ状のカセット内通路を有している。
【００２４】
前後のインペラ５３４にはそれぞれ１２０度間隔で予備賞球を受容する受容部が三カ所形成されるとともに（図３を参照）、前後のインペラ５３４はそれぞれの受容部の位置が６０度オフセットするように回転軸に取り付けられている。このため、受容口５３ａ，５３ｂから供給された予備賞球は、交互に前後のインペラの受容部に受け入れられ、インペラ５３４の回転に伴って右または左のカセット内通路を通り、テーパ面に案内されて前後方向の中央に寄せられ、左右いずれかの払出口から払い出される。
【００２５】
賞球の払出は、所定条件のもと球払出基板９２から出力される払出指令信号に基づいて行われる。賞球カセット５３は球払出基板９２からの払出指令信号に応じてステッピングモータを作動させ、インペラ５３４をパチンコ機ＰＭの後方から見て時計回りに回転させて、右払出口５３ｄから賞球を払い出す。なお、具体的な賞球の払出制御については後述する。
【００２６】
賞球払出経路６０は、図３に示すように、賞球払出機構５０の出口と繋がって上球皿６に通じる上球皿払出通路６１と、上球皿払出通路６１から分岐して下球皿７に通じる下球皿払出通路６５とからなり、両通路は仕切壁６２で仕切られつつこの壁面の上部で連通している。上球皿払出通路６１には賞球カセット５３の下方に位置して賞球出口６１ｅが設けられており、賞球カセット５３から払い出された賞球は、上球皿払出通路６１を落下して賞球出口６１ｅを通り上球皿６へ流下する。
【００２７】
一方、基枠体３０と蓋部材３２とには仕切壁６２の上端を通ってそれぞれ前後に突出し左方に下傾する第１迂回路６３ａおよび第２迂回路６３ｂが形成されている（図２および図３を参照）。このため、上球皿６に貯留する遊技球が一杯になって賞球出口６１ｅから賞球を排出できなくなり、仕切壁６２の上端まで賞球が充満した状態で、さらに賞球払い出し機構５０から賞球が払い出されたときに、溢れ出る賞球がこれらの迂回路６３ａ，６３ｂを通ってスムーズに下球皿払出通路６５に導かれ、下球皿払出通路６５に配設された賞球バケット（図示せず）を通って下球皿７に送り出される。
【００２８】
また、偏向出口４３と賞球待機通路５２ａ，５２ｂとの間には上部球抜き機構５２０が、そして賞球検出センサ５４の取り付け部には払出賞球検出機構５４０がそれぞれ設けられており、これらの各機構の構成および作用について図５を加えて参照しながら説明する。
【００２９】
まず、払出賞球検出機構５４０は、図５に示すように、遊技球を検出する賞球検出センサ（具体的には、前述した入賞検出センサと同様に遊技球の通過を磁気的、光学的または電気的手段等により検出するセンサ）５４と、この賞球検出センサを係止保持するセンサホルダ５４１とを主体として構成され、センサホルダ５４１が基枠体３０の払出賞球機構取り付け部に係脱自在に取り付けられ、センサホルダ５４１が賞球カセット５３と賞球払出経路６０との間に係止された状態で賞球カセット５３から払い出された賞球を検出するようになっている。
【００３０】
センサホルダ５４１は、大別すると、賞球検出センサ５４を係止保持するホルダ部とアーム部とからなり、ポリカーボネート（ＰＣ）等の透明な樹脂材料を用いて射出成形等の成形手段で一体に成形されている。ホルダ部の右側には、賞球検出センサの検出孔部５４ｄが露出可能に賞球検出センサ５４を受容保持するセンサ保持部５４１ａが形成されるとともに、後方に突出して賞球検出センサ５４をロック保持するロックアーム５４１ｂが形成されている。
【００３１】
図５に示すように、ホルダ部の側部には、このホルダ部から側方に突出する上下二枚の板状の支持アーム５４１ｃ，５４１ｃが形成され、両支持アームの先端部に互いに外向きに上下に突出する円柱状の嵌合突起５４１ｄ，５４１ｄが形成されている。上下の嵌合突起５４１ｄ，５４１ｄは支持アームの延びる先端側の円柱角部がテーパ状に面取りされて形成されている。
【００３２】
一方、センサホルダ５４１が取り付けられる基枠体３０の払出賞球検出機構取り付け部には、側面視凹状の嵌合支持部が形成され、その凹部の上下の内面に嵌合突起５４１ｄ，５４１ｄを受容してセンサホルダ５４１を旋回可能（水平揺動可能）に支持する溝状の嵌合支持溝３８ａ，３８ａが形成されている。
【００３３】
また、賞球カセット５３の下部に位置して、ロック保持部３８ｂが突出成形されている。ロック保持部３８ｂは水平な板状の支持面を有し、このロック保持部３８ｂの中央部は左右がスリット状に切り離されてアーム部を形成するとともに、その後端側に楔状に上方に突出するロック部が形成されている。ロック保持部３８ｂは、センサホルダ５４１が閉止されたときにその上面でホルダ部の下面を支持し、ロック部がホルダ部の後端縁部と係合してセンサホルダを閉止位置にロック保持する。
【００３４】
さて、このように構成される払出賞球検出機構５４０において、賞球検出センサ５４は、センサ保持部５４１ａに後方から挿入され賞球検出センサの検出孔部５４ｄが所定位置に到達したときにセンサの後端縁部がロックアーム５４１ｂによりロックされてセンサホルダ５４１に係止保持される。そして、センサホルダ５４１は嵌合突起５４１ｄ，５４１ｄを嵌合支持部の嵌合支持溝３８ａ，３８ａに嵌合させることで、払出賞球検出機構取り付け部３８に旋回可能に取り付けられる（図３を参照）。
【００３５】
前述したように、上下の嵌合突起５４１ｄ，５４１ｄはそれぞれ板状の支持アーム５４１ｃ，５４１ｃの先端部に突出形成されるとともに、支持アームの延びる先端方向の円柱角部がテーパ状に面取りされて形成されている。このため、センサホルダ５４１を取り付ける際には、嵌合突起５４１ｄ，５４１ｄのテーパ面を凹状の嵌合支持部の角部にあてがい、この凹部に向けて押圧する。このとき、上下の支持アーム５４１ｃ，５４１ｃはテーパ面の作用により弾性変形して嵌合突起部が嵌合支持部の上下面間に進入し、嵌合支持溝３８ａ，３８ａ部に到達したときに支持アームの弾性力によりもとの状態に復帰して、嵌合突起部５４１ｄ，５４１ｄと嵌合支持溝３８ａ，３８ａとが相互に係合する。このように係合した状態では、センサホルダ５４１が基枠体３０に対して水平に旋回可能に支持される。
【００３６】
次いで、上記のように旋回開閉可能に支持されたセンサホルダ５４１を賞球カセット５３の下部に旋回させ、ロック保持部３８ｂに係止保持させる。賞球カセット５３が係合保持された状態では、賞球カセット５３の下部にセンサホルダ５４１を受容する受容空間が形成されており、センサホルダ５４１を上下の嵌合突起および嵌合支持溝で形成される旋回軸まわりに水平旋回させて、ホルダ部を賞球カセット５３の下面とロック保持部３８ｂの上面との間に挿入させる。このとき、ホルダ部の下面がロック保持部の楔状のロック部斜辺と当接するが、さらにホルダ部を押圧することでロック保持部のアーム部が弾性変形してセンサホルダ５４１を受容し、センサホルダ５４１を閉止位置まで旋回させさせたときにロック部がホルダ部の後端縁部と係合してセンサホルダ５４１を閉止位置にロック保持する。これにより、センサホルダ５４１はロック保持部３８ｂの上面に支持されるとともにロック部により閉止位置にロック保持される（図３を参照）。
【００３７】
このようにしてセンサホルダ５４１が閉止位置にロック保持されると、賞球検出センサの検出孔部５４ｄが賞球カセット５３の右払出口５３ｄの直下に位置整合して配設され、賞球カセット５３から払い出される賞球または貸し球が検出孔部５４ｄを通過するときにそれぞれの賞球検出センサにより検出される。
【００３８】
次に、上部球抜き機構５２０は、大別して、図３に示すような待機通路部材５２と隣接して基枠体３０の裏面側に揺動可能に枢支される流路切り替え部材５２１と、基枠体３０の表面側に取り付けられて流路切り替え部材５２１の作動操作を行う操作部５２２とから構成される。
【００３９】
この上部球抜き機構５２０が取り付けられる基枠体３０の上部球抜き機構取り付け部３６には、待機通路部材５２を支持するボス３６ａ，３６ａ、流路切り替え部材５２１を揺動可能に枢支する枢支軸３６ｂなどが突出成形されるとともに、基枠体３０の前後を貫通して係合突起挿通孔３６ｃ、中間球抜き通路７８に繋がる上部球抜き通路７７などが基枠体３０と一体に形成されている。
【００４０】
また、待機通路部材５２は、その前後面に屈曲した立設壁面で囲まれた各一列の賞球待機通路５２ａ，５２ｂが形成され、球切れ検出スイッチ５１直下の通路外壁面の一部が切り欠かれた構成となっている。待機通路部材５２は賞球待機通路５２ａ，５２ｂの清掃作業容易化等のため基枠体３０と別体に構成されており、上部球抜き機構取り付け部３６に着脱自在に取り付けられる。すなわち、待機通路部材５２には上部球抜き機構取り付け部３６の二カ所のボス３６ａ，３６ａと係脱自在な円筒支持部５２ｃ，５２ｃが形成されており、この二カ所の円筒支持部５２ｃ，５２ｃで前後に挿脱自在にボス３６ａ，３６ａに支持され、待機通路部材５２の裏面側を覆う蓋部材５５をねじ固定することにより上部球抜き機構取り付け部３６に固定される。
【００４１】
流路切り替え部材５２１は、上記待機通路部材５２における切り欠き部の壁面に相当する壁面形状を有した通路壁部５２１ａ、枢支軸３６ｂに枢支され流路切り替え部材５２１を揺動可能に支持する支軸孔部５２１ｂ、通路壁部５２１ａを下方に揺動させて賞球待機通路を閉止させた待機揺動角度位置で操作部に形成された係合突起部５２２ａと係合する閉止保持係合孔５２１ｃ、通路壁部５２１ａを上方に揺動させて賞球待機通路５２ａ，５２ｂの上部を開放させた球抜き揺動角度位置で係合突起部５２２ａと係合する開放保持係合辺５２１ｄなどを有し、ＡＢＳ樹脂等の樹脂材料を用いて射出成形により一体成形されている。流路切り替え部材５２１は、支軸孔部５２１ｂを枢支軸３６ｂに挿通させて支持させた状態で蓋部材５５をねじ固定することにより、待機通路部材５２とともに上部球抜き機構取り付け部３６に揺動可能に取り付けられる。
【００４２】
操作部５２２は、詳細図示しないが、基枠体３０に着脱自在に固定される固定部材と、この固定部材に基枠体３０の前後方向に揺動自在に枢結されるレバー部材とから構成され、固定部材およびレバー部材はポリアセタール樹脂やポリエチレン等の樹脂材料を用いて射出成形によりそれぞれ一体成形される。そしてこの操作部５２２には、レバー部材の下部から後方に突出する係合突起部５２２ａや、レバー部材の上部から右側方に突出するレバー部５２２ｂなどが形成されている。
【００４３】
係合突起部５２２ａは円筒状を成すとともにその先端部が半球状に形成されており、操作部５２２が基枠体３０に取り付けられた状態で、係合突起部５２２ａが機構取り付け部３６に形成された係合突起挿通孔３６ｃを通り抜けて、流路切り替え部材５２１の閉止保持係合孔５２１ｃと係合するように構成されている。また、図３に示すように、レバー部５２２ｂは取付状態で基枠体３０の右端から右側方に突出しており、このレバー部５２２ｂが前方から押圧操作（または裏セット盤ＢＳＰの裏面側から引込み操作）されると、レバー部材の下部が前方へ揺動変位して係合突起部５２２ａと閉止保持係合孔５２１ｃとの係合を解除可能に構成されている。
【００４４】
このように係合突起部５２２ａが流路切り替え部材５２１の閉止保持係合孔５２１ｃと係合した状態では、通路壁部５２１ａが賞球待機通路５２ａ，５２ｂの側壁を形成し、この通路を通る予備賞球は賞球カセット５３に向かう通常の賞球待機通路５２ａ，５２ｂに導かれる。また、流路切り替え部材５２１は、係合突起部５２２ａと閉止保持係合孔５２１ｃとの係合により自由な揺動が規制され、上記通常の賞球待機通路を形成する揺動角度位置（待機揺動角度位置）に保持される。
【００４５】
一方、レバー部５２２ｂが前方から押圧操作（または裏セット盤ＢＳＰの裏面側から引込み操作）されると、係合突起部５２２ａが前方へ揺動変位して係合突起部５２２ａと閉止保持係合孔５２１ｃとの係合が解除され、それまで規制されていた流路切り替え部材５２１の揺動規制が解除される。賞球待機通路５２ａ，５２ｂの上部に予備賞球が貯留された状態では、流路切り替え部材５２１の通路壁部５２１ａは、この通路壁部によって賞球待機通路５２ａ，５２ｂ内に保持される予備賞球の押圧力を受けており、揺動規制が解除されると予備賞球の押圧力によって枢支軸３６ｂまわりに揺動し、図３に示すように賞球待機通路５２ａ，５２ｂの上部が開放されて、この通路に位置する予備賞球を上部球抜き通路７７に導く球抜き揺動角度位置に変位する。そして、このように一旦流路切り替え部材５２１が球抜き揺動角度位置に変位すると、通過する予備賞球がなくなるまで、次々に通過する予備賞球に押圧されて揺動変位した状態が継続され、上部球抜き機構５２０が配設された球通路よりも上流側に位置する予備賞球が全て上部球抜き通路７７に導かれる。
【００４６】
ここで、流路切り替え部材５２１が球抜き揺動角度位置に変位した状態では、閉止保持係合孔５２１ｃが係合突起挿通孔３６ｃの左方に待避し、かわりに開放保持係合辺５２１ｄが係合突起挿通孔３６ｃの前方左側に位置するように構成されている。このため、流路切り替え部材５２１が球抜き揺動角度位置に変位した状態で、レバー部５２２ｂの押圧力を解除してレバー部材を押圧前の揺動角度位置に変位させると、係合突起部５２３ｃが係合突起挿通孔３６ｃを通って開放保持係合辺５２１ｄの右側方に突出し、流路切り替え部材５２１を球抜き揺動角度位置に係止保持する（図３を参照）。このため、レバー部５２２ｂを常時押圧していなくとも、流路切り替え部材５２１を球抜き揺動角度位置に切り替えた状態で保持させることができる。
【００４７】
なお、裏セット盤ＢＳＰを前枠２に閉鎖保持させた状態でレバー部５２２ｂの前方に位置する前枠２およびガラス扉５には、レバー部５２２ｂと対峙する位置に操作ピンＯＰを挿通させる球抜き操作孔２ｈ，５ｈが形成されており（図１および図２参照）、パチンコ機ＰＭの前面側から球抜き操作孔５ｈ，２ｈを通して操作ピンＯＰを挿入し、パチンコ機外部からレバー部５２２ｂを押圧操作可能に構成されている。
【００４８】
このため、例えば、タンク部材４１に貯留する予備賞球を全量球抜きするような場合には、前枠２を開放して直にレバー部５２２ｂを操作することなく、前枠２を閉鎖させた状態のまま操作ピンＯＰを用いてパチンコ機前面側からレバー部５２２ｂを揺動操作することができ、前方からワンプッシュするのみの簡単な操作で流路切り替え部材５２１を待機揺動角度位置から球抜き揺動角度位置に切り替えて、この通路を通る予備賞球を上部球抜き通路７７に導き、継続して球抜きを行わせることができる。
【００４９】
また、球抜きが完了し、賞球待機通路の上部に予備賞球がなくなったときには、球抜き操作と同様にレバー部５２２ｂを前方からワンプッシュして係合突起部５２２ａと開放保持係合辺５２１ｄとの係合を解除し、係合突起部５２２ａによる揺動規制を解除する。すると、すでに予備賞球からの押圧力が解除された流路切り替え部材５２１は、その自重によって枢支軸３６ｂまわりに揺動し通路壁部５２１ａを閉鎖させた待機揺動角度位置に変位する。そして、レバー部５２３ｂへの押圧力が解除され係合突起部５２２ａが係合突起挿通孔３６ｃから突出したときに、再び閉止保持係合孔５２３ｃと係合突起部５２２ａとが係合し、流路切り替え部材５２１が待機揺動角度位置に保持される。
【００５０】
なお、図３に示すように、流路切り替え部材５２１の上部には球抜き検出スイッチ５２５が設けられており、この球抜き検出スイッチ５２５の下方に揺動支点を有して下方へ付勢され突出する検知レバー５２５ａを有している。そして、流路切り替え部材５２１が賞球待機通路５２ａ，５２ｂの上部を開放する球抜き揺動角度位置に位置すると、検知レバー５２５ａが上方に押圧されて揺動変位し、スイッチ内の接点を閉鎖するように構成されている。一般に、流路切り替え部材５２１が球抜き揺動角度位置に位置するときにスイッチ回路がクローズ（閉）となり、流路切り替え部材５２１が賞球待機通路５２ａ，５２ｂの上部を閉鎖する待機揺動角度位置に位置するときにスイッチ回路がオープン（開）となるように構成されている。
【００５１】
さて、以上のように構成される上部球抜き機構５２０に対して、待機揺動角度位置にある球抜き部材５２１の右側方から下方に向けて上部球抜き通路７７が形成されている。上部球抜き通路７７は、基枠体３０における裏面側の待機通路部材５２の右側方に形成された予備通路７７ａと、この予備通路７７ａの下方に基枠体３０を前後に貫通して形成された連絡開口７７ｂ、および基枠体３０の前面側に形成されて連絡開口７７ｂから下方に向かい中間球抜き通路７８に繋がる下降通路７７ｃから構成される。
【００５２】
下降通路７７ｃと繋がる中間球抜き通路７８は、図５に示すように、基枠体３０の表面側に、基枠体３０の右方（図５のように、裏セット盤ＢＳＰをパチンコ機ＰＭの前面側から見ると左方）から中央に向けて下傾するように形成され、基枠体３０の中央部で下部球抜き通路７０と繋がるように構成される。ここで、詳細図示しないが、下部球抜き通路７０は主として、基枠体３０の表面側に形成されて遊技盤２０の裏面側に排出されるアウト球およびセーフ球を集合させる遊技済み球集合通路７１と、基枠体３０の裏面側に形成されて遊技済み球集合通路７１で集められた遊技済み球を裏セット盤ＢＳＰの下部に導く遊技済み球排出通路（図示せず）とからなり、遊技済み球集合通路７１と遊技済み球排出通路とは、基枠体３０を前後に貫通する導出口（図示せず）を介して繋がっている。そして、中間球抜き通路７８は下部球抜き通路７０の遊技済み球集合通路７１と繋がる。
【００５３】
基枠体３０の裏面側には予備通路７７ａの後面壁を成す蓋部材５５がねじ止め固定されるとともに、基枠体３０の表面側には下降通路７７ｃの前面壁をなす通路カバー５２４がねじ等の締結手段で取り付けられている（図４を参照）。通路カバー５２４は、この下降通路７７ｃの前面壁を構成するとともに、前述した上部球抜き機構５２０の操作部の前面を覆う保護カバーとして機能し、さらに操作部の下部に下降通路と並んで形成され、上下に延びるケーブルダクト５２６のハーネス押さえとしても機能する。なお通路カバー５２４は、後述する球抜き連絡桶１００の球抜き開口部１０３まで下方へ伸びて形成されている。
【００５４】
予備通路７７ａは、流路切り替え部材５２１が揺動して通路壁部５２１ａが開放されたときに、賞球待機通路５２ａ，５２ｂと連通し、この通路から流れ出る予備賞球（「抜き球」という）を受容して流下させる。予備通路７７ａと下降通路７７ｃとの間を繋ぐ連絡開口７７ｂの通路面７７ｒは曲面状に形成されており、予備通路７７ａを落下する予備賞球が滑らかに連絡開口７７ｂを通って下降通路７７ｃに至るように構成されている（図４を参照）。
【００５５】
連絡開口７７ｂを通って基枠体３０の前面側に導かれた抜き球は、左右の壁面とカバー部材５２４とに囲まれた下降通路７７ｃを流下する。下降通路７７ｃの下端部は中間球抜き通路７８に繋がって開放されており、下降通路７７ｃを流下する抜き球は中間球抜き通路７８上に落下して受け止められ、中間球抜き通路７８に沿って流下する。そして、中間球抜き通路７８を流下する抜き球は、下部球抜き通路７０の遊技済み球集合通路７１上に落下する。そして、下部球抜き通路７０に達した抜き球は、下部球抜き通路７０を流下してパチンコ機ＰＭから排出され、遊技施設側の回収バケットに回収される。
【００５６】
以上のようにして賞球が賞球カセット５３から払い出されるパチンコ機ＰＭにあって、賞球カセット５３の左下部には、賞球カセット５３の左払出口５３ｃから払い出された遊技球（以下、残り球と称する）を中間球抜き通路７８へ導くための球抜き連絡桶１００が設けられている。まず図５〜図７を参照しつつ、球抜き連絡桶１００について説明する。なお、図５は球抜き連絡桶１００および払出賞球検出機構５４０の詳細構成を示す分解斜視図、図６は球抜き連絡桶１００の側断面図、そして図７は球抜き連絡桶１００の平断面図である。
【００５７】
球抜き連絡桶１００は、賞球カセット５３の左払出口５３ｃから下方に伸びて方形筒状に基枠体３０と一体に形成され、ロック保持部３８ｂの左側に位置するように構成される（なお説明のため、図７においてセンサホルダ５４１は開放位置に位置している）。そして、球抜き連絡桶１００の内部には賞球カセット５３の左払出口５３ｃから払い出された残り球が流下するカセット側球抜き通路１０１が形成されるとともに、カセット側球抜き通路１０１を流下する残り球を受け止める２枚の球受けリブ１０２が設けられる。
【００５８】
球抜き連絡桶１００の前方には、基枠体３０の前後を貫通してカセット側球抜き通路１０１と中間球抜き通路７８とを連通する球抜き開口部１０３が形成され、球抜き連絡桶１００の下部には、カセット側球抜き通路１０１へ流入した残り球の賞球払出経路６０への流下を妨げるとともに、残り球を球抜き開口部１０３へ導く底部１０４が形成されている。
【００５９】
球受けリブ１０２は、球抜き連絡桶１００の後面壁を成す蓋部材３２から前方へ垂直に伸びて、底部１０４の上面側に位置するように形成されるとともに、球受けリブ１０２の上端が蓋部材３２から球抜き開口部１０３へ向かうにつれ下傾するように形成されており、カセット側球抜き通路１０１を流下する残り球を受け止めて底部１０４の上面側前方へ滑らかに導くように構成されている。また、２枚の球受けリブ１０２，１０２の間隔は残り球（遊技球）の直径より若干狭くなっており、カセット側球抜き通路１０１を流下する残り球が確実にいずれかの球受けリブ１０２に支持されて流下するように構成されている。
【００６０】
蓋部材３２における２枚の球受けリブ１０２，１０２の間隙部位には、蓋部材３２の前後を貫通してカセット側球抜き通路１０１と外部とを連通する切り欠き部１０５が形成されている。これにより、作業者が外部からカセット側球抜き通路１０１における残り球の流下を確認することができる。
【００６１】
このように構成される球抜き連絡桶１００において、賞球カセット５３の左払出口５３ｃから払い出された残り球は、カセット側球抜き通路１０１へ流入し、底部１０４の上面側に位置する球受けリブ１０２で受け止められて、滑らかに底部１０４の上面側前方へ導かれる。底部１０４の上面側前方へ導かれた残り球は、そのまま底部１０４の上面を流下して球抜き開口部１０３へ向かい、球抜き開口部１０３を通り抜ける。球抜き開口部１０３を通り抜けた残り球は、前方へ流下して通路カバー５２４と当接するとともに、通路カバー５２４に沿って落下して中間球抜き通路７８上で受け止められ、中間球抜き通路７８に沿って流下する。そして、中間球抜き通路７８を流下する残り球は、下部球抜き通路７０の遊技済み球集合通路７１上に落下する。そして、下部球抜き通路７０に達した残り球は、下部球抜き通路７０を流下してパチンコ機ＰＭから排出され、遊技施設側の回収バケットに回収される。
【００６２】
次に、賞球の払出を行う払出制御装置２００について以下に説明する。まず、払出制御装置２００の構成を図８に示しており、この払出制御装置２００は主にメイン基板９１と、球払出基板９２と、各入賞球検出センサ２４ａ，２５ａ，２６ａと、球切れ検出スイッチ５１と、球抜き検出スイッチ５２５と、正逆転モータ２０１と、球抜き動作ランプ２０２とを有して構成される。なお正逆転モータ２０１として、上述の実施例中においてステッピングモータが用いられている。
【００６３】
遊技用制御装置としてのメイン基板９１には、入賞検出スイッチとしての各入賞球検出センサ２４ａ，２５ａ，２６ａおよび球有無検出スイッチとしての球切れ検出スイッチ５１からの検出信号が入力ポート（図示せず）を介して入力される。メイン基板９１は、払出指令出力判定部（図示せず）および払出指令出力部（図示せず）を有しており、払出指令出力判定部は、各入賞球検出センサ２４ａ，２５ａ，２６ａおよび球切れ検出スイッチ５１からの検出信号の検出状態により払出指令信号を出力するかどうかを判定し、払出指令出力部は、払出指令出力判定部の判断に基づいて払出指令信号を出力する。
【００６４】
球払出制御装置としての球払出基板９２には、メイン基板９１からの払出指令信号、球切れ検出スイッチ５１からの検出信号、球抜き検出スイッチ２３５からの検出信号、そしてＣＲ機における球貸し指令信号が入力ポート（図示せず）を介して入力される。球払出基板９２は、駆動判定制御部２１０と、駆動計時制御部２２０と、球抜き動作ランプ制御部２３０とを有して構成され、入力された各検出信号、払出指令信号および球貸し指令信号に基づいて球払出装置内駆動源としての正逆転モータ２０１（ステッピングモータ）を回転作動させ、球抜き動作ランプ２０２を点灯制御する。
【００６５】
球抜き動作ランプ２０２は、パチンコ機ＰＭの図１に示す位置に取り付けられており、作業者が外部から球抜き作業中であることを確認することができる。なお、球抜き動作ランプ２０２を独立して設けずに、パチンコ機ＰＭに既存のランプを併用してもよい。
【００６６】
駆動判定制御部２１０は、正転部２１１と逆転部２１２とを有して構成される。正転部２１１には、球切れ検出スイッチ５１からの検出信号、メイン基板９１からの払出指令信号、そしてＣＲ機における球貸し指令信号が入力される。そして、正転部２１１に払出指令信号が入力されると、正転部２１１が正逆転モータ２０１（ステッピングモータ）へ正転駆動信号を出力してステッピングモータを時計回りに回転（正転）させ、指令信号に応じた数量の予備賞球が賞球として右払出口５３ｄから賞球払出経路６０に払い出される。
【００６７】
一方、正転部２１１に球貸し指令信号が入力されると、球切れ検出スイッチ５１の検出通路に予備賞球が存在するときには、正転部２１１が正逆転モータ２０１（ステッピングモータ）へ正転駆動信号を出力してステッピングモータを時計回りに回転（正転）させ、指令信号に応じた数量の予備賞球が貸し球として右払出口５３ｄから賞球払出経路６０に払い出される。
【００６８】
逆転部２１２は、駆動計時制御部２２０から逆転払出指令信号が入力されると、正逆転モータ２０１（ステッピングモータ）へ逆転駆動信号を出力してステッピングモータを反時計回りに回転（逆転）させ、指令信号に応じた数量の予備賞球が残り球として左払出口５３ｃから球抜き連絡路１０１に払い出される。
【００６９】
駆動計時制御部２２０には、球切れ検出スイッチ５１からの検出信号および球抜き検出スイッチ５２５からの検出信号が入力される。そして、各検出信号の検出状態に応じて、駆動計時制御部２２０は逆転部２１２に逆転払出指令信号を出力したり、球抜き動作ランプ制御部２３０へ球抜き動作ランプ２０２の表示指令信号を出力する。
【００７０】
球抜き動作ランプ制御部２３０には駆動計時制御部２２０からの表示指令信号が入力される。そして、球抜き動作ランプ制御部２３０は球抜き動作ランプ２０２の点灯、点滅もしくは消灯表示制御を行う。
【００７１】
このような構成の払出制御装置２００において、球払出基板９２による賞球の払出制御内容について説明する。パチンコ機ＰＭによる遊技中に、遊技球が遊技盤２０のいずれかの入賞具２４，２５，２６内に入賞すると、その入賞が各入賞球検出センサ２４ａ，２５ａ，２６ａにより検出され、その検出信号がメイン基板９１の払出指令出力判定部に送られる。また、球切れ検出スイッチ５１からの検出信号も上記払出指令出力判定部に入力されており、払出指令出力判定部に各入賞球検出センサ２４ａ，２５ａ，２６ａからの入賞検出信号が入力され、球切れ検出スイッチ５１から球切れ検出スイッチ５１の検出通路に予備賞球が存在する状態を示す検出信号が入力されると、払出指令出力部が球払出基板９２の正転部２１１に払出指令信号を出力する。
【００７２】
正転部２１１に払出指令信号が入力されると、正転部２１１が正逆転モータ２０１（ステッピングモータ）へ正転駆動信号を出力してステッピングモータを時計回りに回転（正転）させ、指令信号に応じた数量の予備賞球が賞球として右払出口５３ｄから賞球払出経路６０に払い出される。
【００７３】
ＣＲ機における球貸し操作が行われたときには、球貸し指令信号が正転部２１１に入力される。正転部２１１に球貸し指令信号が入力されると、球切れ検出スイッチ５１の検出通路に予備賞球が存在するときには、正転部２１１が正逆転モータ２０１（ステッピングモータ）へ正転駆動信号を出力してステッピングモータを時計回りに回転（正転）させ、指令信号に応じた数量の予備賞球が貸し球として右払出口５３ｄから賞球払出経路６０に払い出される。
【００７４】
パチンコ機ＰＭに残留する予備賞球を排出させるときには、まず、上部球抜き機構５２０の流路切り替え部材５２１を球抜き揺動角度位置に位置させる。そうすると、上部球抜き機構５２０による球抜きが行われるとともに、流路切り替え部材５２１が球抜き揺動角度位置に位置するのに連動して球抜き検出スイッチ５２５のスイッチ回路がクローズ（閉）となる。そして、球抜き検出スイッチ５２５からの検出信号は駆動計時制御部２２０に送られる。
【００７５】
続いて、駆動計時制御部２２０が行う駆動計時制御部処理（ステップＳ１０）について、図９を参照して説明する。この処理において、球抜き検出スイッチ５２５のスイッチ回路がクローズ（閉）となり、予備賞球の球抜きが行われるという検出がなされてその検出信号が入力される（Ｓ１１）と、ステップＳ１２に進み、球抜き動作ランプ制御部２３０へ球抜き動作ランプ２０２の点滅表示指令信号を出力し、球抜き動作ランプ制御部２３０はこれを受けて球抜き動作ランプ２０２を点滅表示させる。すなわち、上部球抜き機構５２０による球抜きが行われている状態が表示される。
【００７６】
次に、ステップＳ１３に進み、球切れ検出スイッチ５１の検出通路に予備賞球が存在するときには、ステップＳ１２に戻り、球抜き動作ランプ制御部２３０へ球抜き動作ランプ２０２の点滅表示指令信号を出力する。一方、球切れ検出スイッチ５１の検出通路に予備賞球が存在しないときには、ステップＳ１４に進み、駆動時間タイマを所定時間（例えば、球切れ検出スイッチ５１の検出通路より下流に位置する予備賞球を全て払い出すのに充分な時間）にセットする。
【００７７】
次に、ステップＳ１５に進み、逆転部２１２に逆転払出指令信号出力して正逆転モータ２０１（ステッピングモータ）を反時計回りに回転（逆転）させ、指令信号に応じた数量の予備賞球が残り球として左払出口５３ｃからカセット側球抜き通路１０１に払い出される。次に、ステップＳ１６に進み、球抜き動作ランプ制御部２３０へ球抜き動作ランプ２０２の点灯表示指令信号を出力し、球抜き動作ランプ制御部２３０はこれを受けて球抜き動作ランプ２０２を点灯表示させる。すなわち、球切れ検出スイッチ５１の検出通路より下流に位置する予備賞球が払い出されている状態が表示される。
【００７８】
次に、ステップＳ１７に進み、駆動時間タイマが０でないときには、ステップＳ１５へ戻り、逆転部２１２に逆転払出指令信号出力する。一方、駆動時間タイマが０になると、ステップＳ１８に進み、球抜き動作ランプ制御部２３０へ球抜き動作ランプ２０２の消灯表示指令信号を出力し、球抜き動作ランプ制御部２３０はこれを受けて球抜き動作ランプ２０２を消灯させて、当該処理を終了する。すなわち、球抜きが完了する。なお、駆動計時制御部処理（ステップＳ１０）において、所定条件になるまで所定処理を繰り返す（例えば、ステップＳ１３において球切れ検出スイッチ５１の検出通路に予備賞球が存在しなくなるまでステップＳ１２を繰り返す）ように構成されているが、所定開始指令を行って所定条件になると所定終了指令を行う（例えば、球抜き動作ランプ制御部２３０へ点滅表示開始指令信号を出力して球切れ検出スイッチ５１の検出通路に予備賞球が存在しなくなると点滅表示終了指令信号を出力する）ようにしてもよい。
【００７９】
このため、以上のような構成の球抜き装置によれば、操作手段の操作に基づいて、賞球払出機構５０が賞球を左払出口５３ｃからカセット側球抜き通路１０１へ払い出すように払出制御装置２００が制御することにより、賞球払出機構５０から払い出された賞球が全てパチンコ機ＰＭの外部に導くカセット側球抜き通路１０１、中間球抜き通路７８および下部球抜き通路７０へ導かれるため、パチンコ機ＰＭ内に残る予備賞球を全て上部球抜き通路７７、カセット側球抜き通路１０１、中間球抜き通路７８および下部球抜き通路７０を介してパチンコ機ＰＭの外部に排出（球抜き）させることが可能となり、製造時等における予備賞球の球抜き操作の作業性を向上させることができる。
【００８０】
なお、操作ピンＯＰを用いてパチンコ機前面側からレバー部５２２ｂを揺動操作させ、流路切り替え部材５２１を待機揺動角度位置から球抜き揺動角度位置に切り替えれば、前枠２を閉鎖させた状態のままパチンコ機ＰＭ内に残る予備賞球を全てパチンコ機ＰＭの外部に排出（球抜き）させることができる。
【００８１】
次に、上述の実施形態における払出制御装置の第二実施例について以下に説明する。まず、第二実施例の払出制御装置２５０の構成を図１０に示す。払出制御装置２５０は主にメイン基板９１と、球払出基板２９２と、各入賞球検出センサ２４ａ，２５ａ，２６ａと、球切れ検出スイッチ５１と、球抜き検出スイッチ５２５と、正逆転モータ２０１とを有して構成される。
【００８２】
球払出制御装置としての球払出基板２９２には、遊技用制御装置としてのメイン基板９１からの払出指令信号、球有無検出スイッチとしての球切れ検出スイッチ５１からの検出信号、球抜き検出スイッチ２３５からの検出信号、そしてＣＲ機における球貸し指令信号が入力ポート（図示せず）を介して入力される。球払出基板２９２は、駆動判定制御部２６０と、駆動計時制御部２７０と、球切れ・球抜き判定部２８０とを有して構成され、入力された各検出信号、払出指令信号および球貸し指令信号に基づいて球払出装置内駆動源としての正逆転モータ２０１（ステッピングモータ）を回転作動させる。
【００８３】
球切れ・球抜き判定部２８０には、球切れ検出スイッチ５１からの検出信号よび球抜き検出スイッチ５２５からの検出信号が入力される。そして、球抜き検出スイッチ５２５のスイッチ回路がクローズ（閉）になると、球切れ・球抜き判定部２８０は、駆動計時制御部２７へ予備賞球の球抜きを行わせる出力（以下、球抜き出力と称する）を行う。また、球切れ検出スイッチ５１の検出通路に予備賞球が存在し、且つ球抜き検出スイッチ５２５のスイッチ回路がオープン（開）であるときには、球切れ・球抜き判定部２８０は、後述する正転部２６１へ球切れ検出スイッチ５１の検出通路に予備賞球が存在する状態を示す出力（以下、球有り出力と称する）を行う。
【００８４】
ここで、球切れ・球抜き判定部２８０について図１１を参照してさらに詳しく説明する。球切れ・球抜き判定部２８０は主に、抵抗Ｒａと、比較部ＩＣ１と、反転部ＩＣ２と、第一ＡＮＤ回路部ＩＣ３と、第二ＡＮＤ回路部ＩＣ４とを有して構成され、駆動源制御部としての正転部２６１、球抜き駆動部としての駆動計時制御部２７０および球抜き検出手段としての球抜き検出スイッチ５２５と図１１（Ｂ）に示すように接続される。球抜き検出手段としての球抜き検出スイッチ５２５は、抵抗Ｒｂと、接続子５２５ａと、接続端子部５２５ｂとを有して構成され、球切れ・球抜き判定部２８０および球有無検出スイッチとしての球切れ検出スイッチ５１と図１１（Ａ）に示すように接続される。
【００８５】
以上のような構成において、電圧＋Ｖが球抜き検出スイッチ５２５に出力されると、図１１（Ａ）に示すように、球切れ検出スイッチ５１のスイッチ回路がオープン（開）で、且つ球抜き検出スイッチ５２５のスイッチ回路がオープン（開）であるときには、比較部ＩＣ１の＋端子には０が入力される。さらに、電圧＋Ｖは比較部ＩＣ１へ出力され、抵抗Ｒａを通り、電圧降下して電圧＋Ｖａが比較部ＩＣ１の−端子に入力される。すると、比較部ＩＣ１は反転部ＩＣ２および第二ＡＮＤ回路部ＩＣ４の一方の端子にロー信号を出力する。そして、反転部ＩＣ２は第一ＡＮＤ回路部ＩＣ３の一方の端子にハイ信号を出力する。
【００８６】
また、球抜き検出スイッチ５２５から第一ＡＮＤ回路部ＩＣ３および第二ＡＮＤ回路部ＩＣ４の他方の端子にはロー信号が入力される。そのため、第一ＡＮＤ回路部ＩＣ３は正転部２６１へロー信号を出力し、第二ＡＮＤ回路部ＩＣ４は駆動計時制御部２７０へロー信号を出力する。すなわち、球切れ検出スイッチ５１のスイッチ回路がオープン（開）で、且つ球抜き検出スイッチ５２５のスイッチ回路がオープン（開）であるときには、球切れ・球抜き判定部２８０は正転部２６１への球有り出力および駆動計時制御部２７０への球抜き出力を行わない。
【００８７】
球切れ検出スイッチ５１のスイッチ回路がクローズ（閉）で、且つ球抜き検出スイッチ５２５のスイッチ回路がオープン（開）であるときには、電圧＋Ｖが球抜き検出スイッチ５２５に出力されると、抵抗Ｒｂを通り、電圧降下して電圧＋Ｖｂが比較部ＩＣ１の＋端子に入力される。さらに、電圧＋Ｖは比較部ＩＣ１へ出力され、抵抗Ｒａを通り、電圧降下して電圧＋Ｖａが比較部ＩＣ１の−端子に入力される。ここで、抵抗Ｒａの抵抗値は抵抗Ｒｂの抵抗値より低くなるように構成されており、これによりＶａ＞Ｖｂとなるため、比較部ＩＣ１は反転部ＩＣ２および第二ＡＮＤ回路部ＩＣ４の一方の端子にロー信号を出力する。そして、反転部ＩＣ２は第一ＡＮＤ回路部ＩＣ３の一方の端子にハイ信号を出力する。
【００８８】
また、球抜き検出スイッチ５２５から第一ＡＮＤ回路部ＩＣ３および第二ＡＮＤ回路部ＩＣ４の他方の端子にはハイ信号が入力される。そのため、第一ＡＮＤ回路部ＩＣ３は正転部２６１へハイ信号を出力し、第二ＡＮＤ回路部ＩＣ４は駆動計時制御部２７０へロー信号を出力する。すなわち、球切れ検出スイッチ５１のスイッチ回路がクローズ（閉）で、且つ球抜き検出スイッチ５２５のスイッチ回路がオープン（開）であるときには、球切れ・球抜き判定部２８０は正転部２６１への球有り出力のみを行う。
【００８９】
接続端子部５２５ｂが接続子５２５ａと接続して、球抜き検出スイッチ５２５のスイッチ回路がクローズ（閉）になるときには、球切れ検出スイッチ５１のスイッチ回路の開閉に拘わらず、電圧＋Ｖが球抜き検出スイッチ５２５に出力されると、電圧＋Ｖｂが比較部ＩＣ１の＋端子に入力される。さらに、電圧＋Ｖは比較部ＩＣ１へ出力され、抵抗Ｒａを通り、電圧降下して電圧＋Ｖａが比較部ＩＣ１の−端子に入力される。Ｖ＞Ｖａであるため、比較部ＩＣ１は反転部ＩＣ２および第二ＡＮＤ回路部ＩＣ４の一方の端子にハイ信号を出力する。そして、反転部ＩＣ２は第一ＡＮＤ回路部ＩＣ３の一方の端子にロー信号を出力する。
【００９０】
また、球抜き検出スイッチ５２５から第一ＡＮＤ回路部ＩＣ３および第二ＡＮＤ回路部ＩＣ４の他方の端子にはハイ信号が入力される。そのため、第一ＡＮＤ回路部ＩＣ３は正転部２６１へロー信号を出力し、第二ＡＮＤ回路部ＩＣ４は駆動計時制御部２７０へハイ信号を出力する。すなわち、球抜き検出スイッチ５２５のスイッチ回路がクローズ（閉）になるときには、球切れ検出スイッチ５１のスイッチ回路の開閉に拘わらず、球切れ・球抜き判定部２８０は駆動計時制御部２７０への球抜き出力のみを行う。
【００９１】
駆動判定制御部２６０は、正転部２６１と逆転部２６２とを有して構成される。正転部２６１には、球切れ・球抜き判定部２８０からの出力信号、メイン基板９１からの払出指令信号、そしてＣＲ機における球貸し指令信号が入力される。そして、正転部２６１に払出指令信号が入力されると、正転部２６１が正逆転モータ２０１（ステッピングモータ）へ正転駆動信号を出力してステッピングモータを時計回りに回転（正転）させ、指令信号に応じた数量の予備賞球が賞球として右払出口５３ｄから賞球払出経路６０に払い出される。
【００９２】
一方、正転部２５１に球貸し指令信号および球有り出力信号（ハイ信号）が入力されると、正転部２６１が正逆転モータ２０１（ステッピングモータ）へ正転駆動信号を出力してステッピングモータを時計回りに回転（正転）させ、指令信号に応じた数量の予備賞球が貸し球として右払出口５３ｄから賞球払出経路６０に払い出される。
【００９３】
逆転部２６２には、駆動計時制御部２７０からの逆転払出指令信号が入力され、逆転部２６２に逆転払出指令信号が入力されると、逆転部２６２が正逆転モータ２０１（ステッピングモータ）へ逆転駆動信号を出力してステッピングモータを反時計回りに回転（逆転）させ、指令信号に応じた数量の予備賞球が残り球として左払出口５３ｃから球抜き連絡路１０１に払い出される。
【００９４】
駆動計時制御部２７０には、球切れ・球抜き判定部２８０からの出力信号が入力される。そして、駆動計時制御部２７０に球抜き出力信号（ハイ信号）が入力されると、駆動計時制御部２７０は逆転部２６２に逆転払出指令信号を出力する。
【００９５】
このような構成の払出制御装置２５０において、球払出基板２９２による賞球の払出制御内容について説明する。パチンコ機ＰＭによる遊技中に、遊技球が遊技盤２０のいずれかの入賞具２４，２５，２６内に入賞すると、その入賞が各入賞球検出センサ２４ａ，２５ａ，２６ａにより検出され、その検出信号がメイン基板９１の払出指令出力判定部に送られる。また、球切れ検出スイッチ５１からの検出信号も上記払出指令出力判定部に入力されており、払出指令出力判定部に各入賞球検出センサ２４ａ，２５ａ，２６ａからの入賞検出信号が入力され、球切れ検出スイッチ５１から球切れ検出スイッチ５１の検出通路に予備賞球が存在する状態を示す検出信号が入力されると、払出指令出力部が球払出基板９２の正転部２１１に払出指令信号を出力する。
【００９６】
正転部２６１に払出指令信号が入力されると、球切れ・球抜き判定部２８０から球有り出力信号（ハイ信号）が入力されているときには、正転部２６１が正逆転モータ２０１（ステッピングモータ）へ正転駆動信号を出力してステッピングモータを時計回りに回転（正転）させ、指令信号に応じた数量の予備賞球が賞球として右払出口５３ｄから賞球払出経路６０に払い出される。
【００９７】
ＣＲ機における球貸し操作が行われたときには、球貸し指令信号が正転部２１１に入力される。正転部２１１に球貸し指令信号が入力されると、球切れ・球抜き判定部２８０から球有り出力信号（ハイ信号）が入力されているときには、正転部２６１が正逆転モータ２０１（ステッピングモータ）へ正転駆動信号を出力してステッピングモータを時計回りに回転（正転）させ、指令信号に応じた数量の予備賞球が貸し球として右払出口５３ｄから賞球払出経路６０に払い出される。
【００９８】
パチンコ機ＰＭに残留する予備賞球を排出させるときには、まず、上部球抜き機構５２０の流路切り替え部材５２１を球抜き揺動角度位置に位置させる。そうすると、上部球抜き機構５２０による球抜きが行われるとともに、流路切り替え部材５２１が球抜き揺動角度位置に位置するのに連動して球抜き検出スイッチ５２５のスイッチ回路がクローズ（閉）となる。球抜き検出スイッチ５２５からの検出信号は球切れ・球抜き判定部２８０に送られており、球抜き検出スイッチ５２５のスイッチ回路がクローズ（閉）となると、球切れ・球抜き判定部２８０は駆動計時制御部２７０に球抜き出力信号（ハイ信号）を出力する。
【００９９】
続いて、駆動計時制御部２７０が行う駆動計時制御部処理（ステップＳ２０）について、図１２を参照して説明する。この処理において、駆動計時制御部２７０に球抜き出力信号（ハイ信号）が入力される（Ｓ２１）と、ステップＳ２２に進み、球抜きウェイトタイマを所定時間（例えば、上部球抜き機構５２０による球抜きが完了するのに充分な時間）にセットする。
【０１００】
次に、ステップＳ２３に進み、球抜きウェイトタイマが０になると、ステップＳ２４に進み、駆動時間タイマを所定時間（例えば、球切れ検出スイッチ５１の検出通路より下流に位置する予備賞球を全て払い出すのに充分な時間）にセットする。次に、ステップＳ２５に進み、正逆転モータ２０１（ステッピングモータ）へ逆転駆動信号を出力してステッピングモータを反時計回りに回転（逆転）させ、指令信号に応じた数量の予備賞球が残り球として左払出口５３ｃからカセット側球抜き通路１０１に払い出される。
【０１０１】
次に、ステップＳ２６に進み、駆動時間タイマが０でないときには、ステップＳ２５へ戻り、逆転部２６２に逆転駆動信号を出力する。一方、駆動時間タイマが０になると、当該処理を終了する。すなわち、球抜きが完了する。なお、駆動計時制御部処理（ステップＳ２０）において、所定条件になるまで所定処理を繰り返す（例えば、ステップＳ２６において駆動時間タイマが０になるまでステップＳ２５を繰り返す）ように構成されているが、所定開始指令を行って所定条件になると所定終了指令を行う（例えば、逆転部２６２に逆転駆動開始信号を出力して駆動時間タイマが０になると逆転駆動終了を出力する）ようにしてもよい。
【０１０２】
このため、以上のような構成の球抜き装置によれば、操作手段の操作に基づいて、賞球払出機構５０が賞球を左払出口５３ｃからカセット側球抜き通路１０１へ払い出すように払出制御装置２５０が制御することにより、賞球払出機構５０から払い出された賞球が全てパチンコ機ＰＭの外部に導くカセット側球抜き通路１０１、中間球抜き通路７８および下部球抜き通路７０へ導かれるため、パチンコ機ＰＭ内に残る予備賞球を全て上部球抜き通路７７、カセット側球抜き通路１０１、中間球抜き通路７８および下部球抜き通路７０を介してパチンコ機ＰＭの外部に排出（球抜き）させることが可能となり、製造時等における予備賞球の球抜き操作の作業性を向上させることができる。
【０１０３】
なお、操作ピンＯＰを用いてパチンコ機前面側からレバー部５２２ｂを揺動操作させ、流路切り替え部材５２１を待機揺動角度位置から球抜き揺動角度位置に切り替えれば、前枠２を閉鎖させた状態のままパチンコ機ＰＭ内に残る予備賞球を全てパチンコ機ＰＭの外部に排出（球抜き）させることができる。また、上述の払出制御装置２５０に、球抜き動作ランプ２０２の点灯、点滅もしくは消灯表示制御を行う球抜き動作ランプ制御部をさらに設けてもよい。
【０１０４】
なお、上述の第一および第二実施例において、球受けリブ１０２が、蓋部材３２から前方へ垂直に伸びて、底部１０４の上面側に位置するように形成されているが、これに限られるものではなく、例えば、図１３に示すように、球受けリブ１５２および底部１５４が蓋部材３２から前方へ垂直に伸びて一体に形成されるようにしてもよく、また、図１４に示すように、球受けリブ１６２が、底部１６４の上面側に一体に形成、すなわち基枠体３０側に一体に形成されるようにしてもよい。
【０１０５】
また、上述の第一および第二実施例において、流路切り替え部材５２１の上部に球抜き検出スイッチ５２５を設け、流路切り替え部材５２１の切替操作に連動して本発明の球抜き装置による球抜きを行っているが、これに限られるものではなく、パチンコ機ＰＭの前面側から操作可能なスイッチを独立して設け、このスイッチ操作により球抜きを行うようにしてもよい。
【０１０６】
さらに、上述の第一および第二実施例において、ステッピングモータを作動させて賞球の払出を行っているが、これに限られるものではなく、賞球の払出駆動源としてＡＣモータもしくはＤＣモータを用いてもよく、さらにソレノイドを用いてもよい。
【０１０７】
さらに、上述の第一および第二実施例において、球抜き連絡路１０１が遊技済み球排出経路７０と繋がって形成され、パチンコ機ＰＭ内に残る予備賞球が全て遊技済み球排出経路７０を介してパチンコ機ＰＭの外部に排出されているが、これに限られるものではなく、直接パチンコ機ＰＭの外部と繋がるように球抜き連絡路を形成してもよい。
【０１０８】
また、上述の第一および第二実施例において、予備賞球を貯留するタンク部材４１と、タンク部材４１の下部に位置して取り付けられる整列樋部材４２とを有して構成される球貯留供給機構４０が裏セット盤ＢＳＰに設けられているが、これに限られるものではなく、前枠２に設けられてもよい。
【０１０９】
【発明の効果】
以上説明したように、本発明による弾球遊技機の球抜き装置によれば、操作手段の操作に基づいて、賞球払出装置が賞球を第二出口から球抜き通路へ払い出すように球払出制御手段が制御することにより、賞球払出装置から払い出された賞球が全て弾球遊技機の外部に導く球抜き通路へ導かれるため、弾球遊技機内に残る予備賞球を全て球抜き通路を介して弾球遊技機の外部に排出（球抜き）させることが可能となり、製造時等における予備賞球の球抜き操作の作業性を向上させることができる。
【図面の簡単な説明】
【図１】本発明に係る弾球遊技機の一例として示すパチンコ機の正面図である。
【図２】上記パチンコ機の裏面側を示す背面図である。
【図３】賞球払出機構およびその周辺を示す背面図である。
【図４】裏セット盤において賞球カセットが配設される部位およびその周辺を示す正面図である。
【図５】球抜き連絡桶および払出賞球検出機構の詳細構成を示す分解斜視図である。
【図６】球抜き連絡桶の側断面図である。
【図７】球抜き連絡桶の平断面図である。
【図８】第一実施例の払出制御装置の構成を示すブロック図である。
【図９】第一実施例の払出制御装置における駆動計時制御部処理の制御内容を示すフローチャートである。
【図１０】第二実施例の払出制御装置の構成を示すブロック図である。
【図１１】（Ａ）は球切れ検出スイッチおよび球抜き検出スイッチの回路構成を示す回路図であり、（Ｂ）は球切れ・球抜き判定部の回路構成を示す回路図である。
【図１２】第二実施例の払出制御装置における駆動計時制御部処理の制御内容を示すフローチャートである。
【図１３】球受けリブおよび底部の別形態を示す側断面図である。
【図１４】球受けリブおよび底部の別形態を示す側断面図である。
【符号の説明】
ＢＳＰ  裏セット盤
ＰＡ  遊技領域
ＰＭ  パチンコ機
ＯＰ  操作ピン
ＩＣ１  比較部
ＩＣ２  反転部
ＩＣ３  第一ＡＮＤ回路部
ＩＣ４  第二ＡＮＤ回路部
Ｒａ  抵抗
Ｒｂ  抵抗
１  外枠
２  前枠（２ｈ  球抜き操作孔）
３ａ，３ｂ  ヒンジ部材
４  施錠装置
５  ガラス扉（５ｈ  球抜き操作孔）
６  上球皿
７  下球皿
８  操作ハンドル
９  打球発射装置
１７  係合レバー
１８  ヒンジ
１９  閉鎖レバー
２０  遊技盤
２１  化粧板
２２  案内レール（２２ａ  外レール、２２ｂ  内レール）
２３  風車
２４  一般入賞具（２４ａ  入賞球検出センサ）
２５  始動入賞具（２５ａ  入賞球検出センサ）
２６  大入賞口（２６ａ  入賞球検出センサ）
２７  アウト口
２８  図柄表示装置
３０  基枠体
３１  窓口
３２  蓋部材（３２ａ  蓋部材突出部）
３６  上部球抜き機構取り付け部
（３６ａ  ボス、３６ｂ  枢支軸、３６ｃ  係合突起挿通孔）
３８ａ  嵌合支持溝
３８ｂ  ロック保持部
４０  球貯留供給機構
４１  タンク部材
４２  整列樋部材
４３  偏向出口
５０  賞球払出機構
５１  球切れ検出スイッチ
(５１ａ，５１ｂ  検出通路、５１ｃ，５１ｄ検知レバー)
５２  待機通路部材
（５２ａ，５２ｂ  賞球待機通路、５２ｃ  円筒支持部）
５３  賞球カセット
（５３ａ，５３ｂ  受容口、５３ｃ，５３ｄ払出口）
５４  賞球検出センサ
（５４ｃ，５４ｄ  検出孔部）
５５  蓋部材
６０  賞球払出経路
６１  上球皿払出通路（６１ｅ  賞球出口）
６２  仕切壁
６３ａ  第１迂回路
６３ｂ  第２迂回路
６５  下球皿払出通路
７０  遊技済み球排出経路
７１  遊技済み球集合通路
７７  球抜き通路
（７７ａ  予備通路、７７ｂ  連絡開口、７７ｃ  下降通路、
７７ｒ  通路面）
９１  メイン基板
９２  球払出基板
９３  ランプ・音声制御基板
９４  電源基板
９５  中継基板
９６  ターミナル基板
１００  球抜き連絡桶
１０１  カセット側球抜き通路
１０２  球受けリブ
１０３  球抜き開口部
１０４  底部
１０５  切り欠き部
１５２  球受けリブ
１５４  底部
１６２  球受けリブ
１６４  底部
２００  払出制御装置
２０１  正逆転モータ（ステッピングモータ）
２０２  球抜き動作ランプ
２１０  駆動判定制御部
２１１  正転部
２１２  逆転部
２２０  駆動計時制御部
２３０  球抜き動作ランプ制御部
２５０  払出制御装置
２６０  駆動判定制御部
２６１  正転部
２６２  逆転部
２７０  駆動計時制御部
２８０  球切れ・球抜き判定部
２９２  球払出基板
５２０  上部球抜き機構
５２１  流路切り替え部材
（５２１ａ  通路壁部、５２１ｂ  支軸孔部、５２１ｃ  閉止保持係合孔、
５２１ｄ  開放保持係合辺）
５２２  操作部（５２２ａ  係合突起部、５２２ｂ  レバー部）
５２４  通路カバー
５２５  球抜き検出スイッチ（５２５ａ  接続子、５２５ｂ  接続端子部）
５２６  ケーブルダクト
５３１  カセットケース
５３４  インペラ
５４０  払出賞球検出機構
５４１  センサホルダ
（５４１ａ  センサ保持部、５４１ｂ  ロックアーム、５４１ｃ  支持アーム、５４１ｄ  嵌合突起）
【図１】
0004310067.tif 000002
【図２】
0004310067.tif 000003
【図３】
0004310067.tif 000004
【図４】
0004310067.tif 000005
【図５】
0004310067.tif 000006
【図６】
0004310067.tif 000007
【図７】
0004310067.tif 000008
【図８】
0004310067.tif 000009
【図９】
0004310067.tif 000010
【図１０】
0004310067.tif 000011
【図１１】
0004310067.tif 000012
【図１２】
0004310067.tif 000013
【図１３】
0004310067.tif 000014
【図１４】
0004310067.tif 000015